Podtech/llm-jp-corpus-v4-ja_patent huggingface dataset:
(57)【要約】      （修正有）【課題】壁面又はガラス面に固定される花器に灌水可能な灌水器具に関する。【解決手段】灌水器具の貯水容器１を壁面又はガラス面に固定される花器と同一又は近辺の壁面又はガラス面に固定し、貯水容器の補充口の蓋４に設けられた穴から吸水性の紐またはシートの一方の端を貯水容器の内部底まで挿入し、もう一方の端に金属又は合成樹脂からなるキャップ８を被せたものを、花器の挿入口を通して花器の収容空間１３内部に挿入することで、吸水性の紐またはシートの毛細管現象により、貯水容器内の水を花器の収容空間内の植物の根圏に給水する。【選択図】図１
0003114079.tif 000002
【実用新案登録請求の範囲】
【請求項１】
壁又はガラス面に固定する固定手段と少なくとも一つ以上の水の補充口を備えた貯水容器に、該補充口の蓋に穴を開け、その穴からポリビニールアルコール（ＰＶＡ）スポンジ又は不織布からなる少なくとも一本以上の吸水性の紐またはシートの一方の端を該貯水容器の内部の底まで垂らし、もう一方の端に金属又は合成樹脂からなるキャップを被せたものから構成されることを特徴とする灌水器具。
【請求項２】
上記金属又は合成樹脂からなるキャップの先端部及び／又は先端部側周面に穴を設け、先端部又は先端部側周部に設けた穴から吸水性の紐またはシートのもう一方の端を露出させることを特徴とする請求項１に記載の灌水器具。
【請求項３】
上記吸水性の紐またはシートを防水性の被覆材で被うことを特徴とする請求項１または請求項２に記載の灌水器具。
【考案の詳細な説明】
【技術分野】
【０００１】
本考案は壁面又はガラス面に固定される花器に灌水可能な灌水器具に関するものである。
【背景技術】
【０００２】
たとえば、実願平６−６２５０号、実願平９−９９１１号などの灌水器具は、植木鉢の上側から差し込むようになっており、壁面又はガラス面に固定される花器のように、壁面又はガラス面に対して垂直方向に開口部が向く場合の灌水についての考え方は存在していなかった。また灌水を行う人の不在時における壁面又はガラス面に固定される花器に灌水する灌水器具についての考えは存在していなかった。
【考案の開示】
【考案が解決しようとする課題】
【０００３】
壁面又はガラス面に固定される花器に灌水が可能で、また灌水を行う人の不在時でも灌水ができ、また室内を灌水時の余分な水分で汚すことがない灌水器具を提供しようとするものである。
【課題を解決するための手段】
【０００４】
請求項１は、壁又はガラス面に固定する固定手段と少なくとも一つ以上の水の補充口を備えた貯水容器に、該補充口の蓋に穴を開け、その穴からポリビニールアルコール（ＰＶＡ）スポンジ又は不織布からなる少なくとも一本以上の吸水性の紐またはシートの一方の端を該貯水容器の内部の底まで垂らし、もう一方の端に金属又は合成樹脂からなるキャップを被せたものから構成されることを特徴とする灌水器具。
【０００５】
請求項２は、上記金属又は合成樹脂からなるキャップの先端部及び／又は先端部側周面に穴を設け、先端部又は先端部側周部に設けた穴から吸水性の紐またはシートのもう一方の端を露出させることを特徴とする請求項１に記載の灌水器具。
【０００６】
請求項３は、上記吸水性の紐またはシートを防水性の被覆材で被うことを特徴とする請求項１または請求項２に記載の灌水器具。
【考案の効果】
【０００７】
本考案の灌水器具の貯水容器は、壁面又はガラス面に固定される花器と同一又は近辺の壁面又はガラス面に固定され、該貯水容器の補充口の蓋に設けられた穴から吸水性の紐またはシートの一方の端を貯水容器の内部底まで挿入し、もう一方の端に金属又は合成樹脂からなるキャップを被せたものを、該花器の挿入口を通して該花器の収容空間内部に挿入することで、吸水性の紐またはシートの毛細管現象により、該貯水容器内の水を該花器の収容空間内の植物の根圏に給水することを可能とする。
【０００８】
上記金属又は合成樹脂からなるキャップの先端部及び／又は先端部側周面に穴を設け、先端部及び／又は先端部側周部に設けた穴から吸水性の紐またはシートのもう一方の端を露出させることで、吸水性の紐またはシートが直接的に植物の根圏に接触することで給水をより効果的に行うことができる。
【０００９】
上記の吸水性の紐またはシートは防水性の被覆材で覆われるので、吸水性の紐またはシートからの水の蒸散や液だれなどにより、給水が妨げられることが防がれる。
【００１０】
また、上記灌水器具によって、壁面又はガラス面に固定される花器に灌水する際、余分な水で周囲を汚すことなく灌水することが可能となり、また、吸水性の紐またはシートの幅や太さを調節することで、給水される水量を適当に調整することで、長時間の持続的灌水が可能となり、灌水を行う人の不在時の灌水が可能となる。
【００１１】
また、特別なノズルや液量調節器などを必要としないため、安価に製造することができる。
【考案を実施するための最良の形態】
【００１２】
以下、添付図面に従って具体的に実施例により説明する。図１は、本考案の灌水器具の透視斜視図である。該灌水器具の貯水容器１は合成樹脂などからなり、該貯水容器１には壁面又はガラス面２に固定する固定手段３と少なくとも１つの水の補充口および補充口蓋４を備える。該貯水容器１は壁面又はガラス面に固定される花器と同一面又は近辺で該花器の固定される位置より高い所に固定される。該補充口蓋には貯水容器に連通する穴５が設けられ、該穴５を通して該貯水容器１の内部底まで吸水性の紐またはシートの一方の端６が挿入される。吸水性の紐またはシートのもう一方の端７には金属又は合成樹脂からなるキャップ８が被せられて、該花器本体に設けられた挿入口９から花器本体の収容空間内部に挿入される。吸水性の紐またはシートのもう一方の端７は金属又は合成樹脂からなるキャップ８に設けられた、先端部及び／又は先端部側周面の穴１０から露出する。
【００１３】
吸水性の紐またはシートは貯水容器１の内部底より、壁面又はガラス面に固定される花器本体の収容空間内部まで連通するが、該貯水容器の補充蓋から金属又は合成樹脂からなるキャップ８の付け根部分まで、吸水性の紐またはシート１１を防水性の被覆材１２で保護することで、蒸発や液だれによる無駄がなくなる。
【００１４】
複数本の吸水性の紐またはシートを該貯水容器から該花器本体の複数個の収容空間１３内部まで連通することで、同時に複数個の収容空間１３に灌水可能となる。
【図面の簡単な説明】
【００１５】
【図１】本考案の灌水器具の実施例の透視斜視図である。
【図２】本考案の灌水器具の実施例の透視正面図である。
【符号の説明】
【００１６】
１  貯水容器
２  壁面又はガラス面
３  固定手段
４  補充口蓋              
５  補充口蓋穴      
６  吸水性の紐またはシートの一方の端        
７  吸水性の紐またはシートのもう一方の端
８  金属又は合成樹脂からなるキャップ      
９  挿入口                  
１０  キャップに設けられた先端部及び／又は先端部側周面の穴            
１１  吸水性の紐またはシート
１２  防水性の被覆材
１３  花器本体の収容空間
【図１】
0003114079.tif 000003
【図２】
0003114079.tif 000004
(57)【要約】      （修正有）【課題】誰にでも頁がめくりやすい書籍の形状を提供する。【解決手段】書籍を構成する頁の集合体の縁部である、小口と、天と、地と、のうち少なくとも１つの縁部が、書籍の表表紙側から裏表紙側に向かって、書籍の内方向に傾斜していることを特徴とする、書籍の形状である。【選択図】図１
0003114098.tif 000002
【実用新案登録請求の範囲】
【請求項１】
書籍を構成する頁の集合体の縁部である、小口と、天と、地と、のうち少なくとも１つの縁部が、書籍の表表紙側から裏表紙側に向かって、書籍の内方向に傾斜していることを特徴とする、
書籍の形状。
【請求項２】
書籍を構成する頁の集合体の縁部である、小口と、天と、地と、のうち少なくとも１つの縁部が、書籍の表表紙側から裏表紙側に向かって、書籍の内方向に傾斜し、
少なくとも１つの他の縁部が
書籍の裏表紙側から表表紙側に向かって、書籍の内方向に傾斜していることを特徴とする、
書籍の形状。
【請求項３】
請求項１又は２に記載の書籍の形状において、前記傾斜は、各頁の縁部の位置と、隣接する頁の縁部の位置とが、頁の面方向において相違し、前記相違が連続的であることからなることを特徴とする、
書籍の形状。
【考案の詳細な説明】
【技術分野】
【０００１】
本考案は、誰にでも頁がめくりやすい書籍の形状に関するものである。
【背景技術】
【０００２】
従来の書籍の縁部（小口、天、地）は、頁の面方向に対して直交しているのが一般的であり、一部のハードカバー本には、小口に丸みをもたせた形状を呈している書籍がある。小口の丸みの形状は、基本的に円弧状あるいは放物線状であり、その円弧あるいは放物線の頂点が書籍の頁厚の中心にあり，その頂点を挟んで左右対称の曲線を呈している。
【考案の開示】
【考案が解決しようとする課題】
【０００３】
しかし、従来の書籍には、以下のような問題があった。
＜１＞頁の面方向に対して縁部が直交していると、頁をめくる際に指の掛かりが悪く、幼児や高齢者などにとって、頁が非常にめくりにくい。
＜２＞小口の丸みを円弧状あるいは放物線状に形成しても、頁がめくりやすくなるのは、本の中央部に達するまでで、本の中央部からは、反対に頁がめくりづらくなる。
【課題を解決するための手段】
【０００４】
そこで、本願の第１考案は、書籍を構成する頁の集合体の縁部である、小口と、天と、地と、のうち少なくとも１つの縁部が、書籍の表表紙側から裏表紙側に向かって、書籍の内方向に傾斜していることを特徴とする、書籍の形状を提供するものである。
【０００５】
また、本願の第２考案は、書籍を構成する頁の集合体の縁部である、小口と、天と、地と、のうち少なくとも１つの縁部が、書籍の表表紙側から裏表紙側に向かって、書籍の内方向に傾斜し、少なくとも１つの他の縁部が書籍の裏表紙側から表表紙側に向かって、書籍の内方向に傾斜していることを特徴とする、書籍の形状を提供するものである。
【０００６】
また、本願の第３考案は、本願の第１考案又は第２考案に記載の書籍の形状において、前記傾斜は、各頁の縁部の位置と、隣接する頁の縁部の位置とが、頁の面方向において相違し、前記相違が連続的であることからなることを特徴とする、書籍の形状を提供するものである。
【考案の効果】
【０００７】
本考案は上記の課題を解決するものであり、以下のような効果のうち、少なくとも一つを得ることができる。
【０００８】
＜１＞書籍の最初の頁から最後の頁まで、誰にでも頁のめくりを容易にすることができる。
【０００９】
＜２＞頁の進行方向と反対の方向に戻るときも、頁をめくりやすくすることができる。
【考案を実施するための最良の形態】
【００１０】
以下、図面を参照しながら本考案の実施の形態について説明する。
【実施例１】
【００１１】
図１に、本考案に係る書籍の外観斜視図を示す。
当該書籍の各部の名称は、書籍の開く側の縁部を小口３、書籍の上の部分の縁部を天４、書籍の下の部分の縁部を地５、書籍の綴じられた側を背６とする。
【００１２】
図２に示すように、書籍を構成する頁の集合体の縁部である、小口３と、天４と、地５のすべての縁部において、書籍の表表紙１側から裏表紙２側に向かって、書籍の内方向に傾斜を設けるように形成する。
より詳しくは、前記傾斜は、各頁の縁部の位置と、隣接する頁の縁部の位置とが、頁の面方向において相違し、前記相違が連続的であることからなる。
各縁部の傾斜は、頁単位での縦幅、横幅をあらかじめ変えておいてもよいし、製本後にカッタなどで裁断してもよい。
また、製本時においては、いわゆる丸背本の製本作業に用いる受けレールの形状を書籍の表表紙１側から裏表紙２側に向かって、書籍の内方向に傾斜を設けるように形成しておき、前記受けレールを小口を押しつけて成形し、背６をバッキングによって固定してもよい。
【００１３】
図３に示すように、本考案を実施した書籍においては、書籍の縁部に対する指のかかりがよく、誰にでも容易に頁をめくることができる。例えば、幼児の読む絵本に、当該形状を採用した場合、手先がおぼつかない幼児であっても一人で簡単に頁をめくることができ、大変有用である。
【実施例２】
【００１４】
図４に、本考案に係る他の実施例を示す。
本考案は、書籍を構成する頁の集合体の縁部である、小口と、天と、地と、のうち少なくとも１つの縁部を書籍の表表紙側から裏表紙側に向かって、書籍の内方向に傾斜させるとともに、その他の縁部のうち、少なくとも一つの縁部を書籍の裏表紙側から表表紙側に向かって書籍の内方向に傾斜させることもできる。図４では、地５を書籍の表表紙側から裏表紙側に向かって、書籍の内方向に傾斜させ、天４を書籍の裏表紙側から表表紙側に向かって書籍の内方向に傾斜させた構成とし、頁進行の両方向に対して容易に頁をめくることができる。
【図面の簡単な説明】
【００１５】
【図１】本考案の書籍の形状を示す斜視図。
【図２】本考案の書籍の形状を示す平面図及び側面図。
【図３】本考案の書籍の実施例を示す図。
【図４】本考案の書籍の他の実施例を示す図。
【符号の説明】
【００１６】
１・・・表表紙
２・・・裏表紙
３・・・小口
４・・・天
５・・・地
６・・・背
【図１】
0003114098.tif 000003
【図２】
0003114098.tif 000004
【図３】
0003114098.tif 000005
【図４】
0003114098.tif 000006
(57)【要約】【課題】  釘やネジの固着手段を使用して中底の裏面側にヒール部材を取り付けるに際し、強固に固定されるようにしたヒール部材とその履物を提供する。【解決手段】  ヒール部材１４は樹脂材料により成形されるとともに中底の裏面側に取り付けられる上端部の近傍に金網１６が埋設されているようにし、履物１０は上記ヒール部材１４を釘やネジの固着手段１５により中底１３の裏面側に取り付けるようにして、固着手段１５の係合部１５ａが金網１３の網目に係合して両者を強固に結合するようにした。【選択図】  図１
0003114094.tif 000002
【実用新案登録請求の範囲】
【請求項１】
樹脂材料により成形されるとともに、中底の裏面側に取り付けられる上端部の近傍に金網が埋設されていることを特徴とするヒール部材。
【請求項２】
樹脂材料により成形されるとともに、上端部の近傍に金網が埋設されているヒール部材を固着手段により中底の裏面側に取り付けてある履物であって、
前記固着手段の係合部が前記金網の網目に係合していることを特徴とする履物。
【考案の詳細な説明】
【技術分野】
【０００１】
本考案は、ハイヒール、パンプス、或いは踵の高いサンダルなどの婦人用の履物に使用されるヒール部材、及びそのヒール部材を用いた履物に関するものである。
【背景技術】
【０００２】
ハイヒール、パンプス、或いは踵の高いサンダルなどの婦人用の履物は、釘やネジを使用して中底の裏面側にヒール部材を取り付けてある。このようなヒール部材は、多くの場合、上面と接地面の間のヒール中央部にヒールの高さに対応した長さの補強パイプを配置して樹脂材料により成形されている。この補強用パイプは、短くすると構造的に折れ易いヒールになってしまうので、比較的長さのあるものが使用されている。
【考案の開示】
【考案が解決しようとする課題】
【０００３】
このようなヒール部材は、上面近くまで補強パイプが配置されていて、しかも、補強パイプはヒールの中央部に位置している。したがって、釘やネジを打ち込むことができる場所が限られてしまう。
【０００４】
しかも、最近の流行で、上端付近の踵受け部分が薄く作られているヒールが増えてきている。このようなヒールの場合、必然的に、長さの短い釘やネジを使用することになるため、ヒール部材と中底の係合が弱くなってヒールが脱落してしまうという課題がある。
【０００５】
この考案は、上記課題を解決するために、釘やネジ等の固着手段を使用して中底の裏面側にヒール部材を取り付けるに際し、両者が強固に固定されるようにした構造を有するヒール部材、及びそのヒール部材を用いた履物を提供するものである。
【課題を解決するための手段】
【０００６】
上記課題を解決するために、本願の請求項１に記載された考案は、樹脂材料により成形されるとともに、中底の裏面側に取り付けられる上端部の近傍に金網が埋設されていることを特徴とするヒール部材である。
【０００７】
また、請求項２に記載の考案は、樹脂材料により成形されるとともに、上端部の近傍に金網が埋設されているヒール部材を固着手段により中底の裏面側に取り付けてある履物であって、前記固着手段の係合部が前記金網の網目に係合していることを特徴とする履物である。
【考案の効果】
【０００８】
本考案は、上端付近の踵受け部分が薄く作られているヒールの場合に、長さの短い釘やネジ等の固着手段により中底の裏面側にヒール部材を取り付けても、ヒール部材の上端部近傍の踵受け部分に埋設した金網の網目に固着手段の係合部が係合する。したがって、固着手段が長さの短いネジであったとしても、ヒール部材と中底は強固に結合されるので、固着手段が利かなくなってヒールが脱落してしまう事態を回避することができる。
【考案を実施するための最良の形態】
【０００９】
以下、図面に基づいて本考案の実施の形態を説明する。
【実施例】
【００１０】
図１（ａ）は本考案に係る履物の実施例１の要部の縦断面図、図１（ｂ）は実施例１のヒールの背面図、図１（ｃ）は実施例１のヒールの一部切欠平面図、図２は実施例１のヒールの一部切欠斜視図である。
【００１１】
図１（ａ），（ｂ），（ｃ）、図２において、本考案の実施例１の履物１０は、例えば金属板１１の上下面に皮１２，１２を貼り付けた中底１３の踵部１３ａの裏面側に、ヒール部材１４の上面１４ａを接着剤で貼り付けてある。
【００１２】
ヒール部材１４は、上面１４ａと接地面１４ｂの間のヒール中央部にヒールの高さに対応した長さの補強パイプＰを配置して樹脂材料により成形されている。そして、ヒール部材１４の上端部の近傍の踵受け部分１４ｃには、中央に半長円形の切り欠き１６ａが設けられた馬蹄形のようなＵ字状の金網１６が、切り欠き１６ａを中心位置として周縁に沿って配置されている。
【００１３】
金網１６は半長円形の切り欠き１６ａが設けてあるので、上面方向、または下面方向に切り欠き１６ａ部分を突出させるように変形させることが容易にできる。また、ヒール部材１４の上面１４ａは平面でなく、使用者が踵を載せた形状に対応する形状の凹面となっている。そのため、金網１６は、ヒール部材１４の上面１４ａの中央位置を低く、踵受け部分１４ｃの周縁をテーパ状の上り斜面となるように、ヒール部材１４の上面１４ａの凹面に合わせて変形されており、踵受け部分１４ｃに略一定の深みで埋設されている。
【００１４】
そして、ヒール部材１４を中底１３に取り付けるに際し、先ず、中底１３の踵部１３ａの裏面側に、ヒール部材１４の上面１４ａを接着剤で貼り付け加工をする。その後、中底１３の上面側からヒール部材１４側に向けて釘やネジ等の固着手段１５を使用して中底１３の裏面側に取り付けている。この場合、固着手段１５の係合部１５ａが、金網１６の網目に係合して、ヒール部材１４と中底１３とを強固に結合する。
【００１５】
このように、本考案の履物は、中底の裏面側にヒール部材を取り付けるに際し、ヒール部材の上端部の近傍の踵受け部分に埋設した金網に釘やネジ等の固着手段の係合部が係合する。したがって、固着手段がたとえ長さが短い釘やネジであったとしても、ヒール部材と中底は強固に結合されるので、固着手段が利かなくなってヒール部材が脱落してしまう事態を回避することができる。
【００１６】
本考案は、実用新案登録請求の範囲に記載された本考案を逸脱することがなければ、種々の設計変更が可能であり、前記実施例に限定されないことはいうまでもない。
【図面の簡単な説明】
【００１７】
【図１】（ａ）は本考案に係る履物の実施例１の要部の縦断面図、図１（ｂ）は実施例１のヒールの背面図、図１（ｃ）は実施例１のヒール部材の一部切欠平面図である。
【図２】実施例１のヒール部材の一部切欠斜視図である。
【符号の説明】
【００１８】
１０  履物
１１  金属板
１２  皮
１３  中底
１４  ヒール部材
１４ａ  ヒール部材の上面
１４ｂ  ヒール部材の接地面
１４ｃ  踵受け部分
１５  固着手段
１５ａ  固着手段の係合部
１６  金網
１６ａ  切り欠き
Ｐ  補強パイプ
【図１】
0003114094.tif 000003
【図２】
0003114094.tif 000004
(57)【要約】      （修正有）【課題】筆記用具であるボールペンやシャープペンシルさらに、その他のペン類などの、それらの本体の一部分にルーペを取り付けて、筆記や読書また外出などをしている時、必要となる携帯用のルーペとする。【解決手段】筆記用具であるボールペンやシャープペンシルさらに、その他のペン類などの、それらの本体の一部分に、例えば、クリップ部分２にルーペ１を取り付ける。また、ボールペンのキャップの一方やその他、筒の一方にルーペを取り付けて、それを例えば、ボールペンの一端に被せる。このようなことにより、筆記用具であるそれらとルーペ１が一体化され、これによって衣服や鞄などに自然なかたちで、常備されるので携帯用のルーペとして役立つ。【選択図】図１
0003114053.tif 000002
【実用新案登録請求の範囲】
【請求項１】
筆記用具であるボールペンやシャープペンシルさらに、その他のペン類などの、それらの本体の一部分にルーペを取り付けた、ルーペ付きペン。
【考案の詳細な説明】
【技術分野】
【０００１】  本考案は、本体の一部分にルーペを取り付けた、ボールペンやシャープペンシルさらに、その他のペン類などに関するものである。
【背景技術】
【０００２】  筆記や読書また外出などをしている時に、ルーペを必要とする場合、ルーペを手持ちのバッグや衣服のポケット内から取り出していた。ルーペを携帯していない場合は、ルーペのある場所まで移動していた。
【考案の開示】
【考案が解決しようとする課題】
【０００３】  小さな文字や物などを拡大して見ようとした時、そのつど、ルーペをバッグやポッケト内から取り出すことは、手間が掛かり面倒である。まして、ルーペのある場所へ移動するようなことは、時間的、労働的に負担である。従って常に身近に存在している筆記用具であるボールペンやシャープペンシルさらに、その他のペン類などの機能とルーペの機能を一体化することにより、事が生じた時、その場所で手軽に対応が可能となり前述の欠点を解決しようとするものである。
【課題を解決するための手段】
【０００４】  本考案は、筆記用具であるボールペンやシャープペンシルさらに、その他のペン類などの、それらの本体の一部分である、例えば図１で見るように、ルーペ１をボールペン本体３のクリップ部分２に取り付ける。このようにすることで、筆記用具であるそれらとルーペが一体化となり、問題点を解決している。
【考案の効果】
【０００５】  本考案のルーペ付きペンは、筆記用具でもあるから、ものを書くことは勿論のこと、それ故に、いつも手近なところに存在しており、しかもルーペが取り付けてあることから、いつどこでも手軽にルーペを使用できる。なお、本考案の特徴は二つの機能が一体化しているため衣服や鞄などに自然なかたちでルーペを携帯できることであり、携帯用のルーペとして役立つ。
【考案を実施するための最良の形態】
【０００６】  例えば図１、で見るようにルーペ１を、ボールペン本体３のクリップ部分２に、接着剤または、機械的手段で取り付ける。取り付けにはルーペとボールペンが互いに妨げとならないように可動式が望ましい。なお、本考案においてルーペ１を取り付ける実施態様としては、図１、のようなものの他に次のようなものがある。
▲１▼  ルーペ１を、例えばボールペンのキャップの一方や、その他、筒の一方に接着剤または、機械的手段で取り付けて、ボールペン本体３の一端に被せる方法がある。
【実施例】
【０００７】  例えば図１で見るものは、ルーペ１をボールペン本体３のクリップ部分２に、接着剤または、機械的手段で取り付ける。【０００８】  前記の図１のクリップ部分２は、中央に、はめ込み式の溝を設けて両端に滑り止めがある。ルーペ１が上下に動くことでセット位置が自在となる。【０００９】  本考案は、上述の如きの構成から成るものであるから筆記用具としての、ものを書くものに使用することは勿論のことであるが、取り付けたルーペは携帯用のルーペとして使用できる。
【図面の簡単な説明】
【００１０】  ボールペンによる、本考案の実施例としての場合について示してみる。【図１】ルーペがクリップ部分より上方に水平移動している斜視図と、ルーペが取り付けられた正面図および、ルーペとクリップ部分のＡ−Ａに沿った切断面図である。
【符号の説明】
【００１１】１  ルーペ
２  クリップ部分
３  ボールペン本体
【図１】
0003114053.tif 000003
(57)【要約】【課題】  従来のよだれかけは、一面が汚れてしまえば他のものと取り替える必要があり、長さを調節することや形を変えることはできなかった。食事の時には、少し大きめのよだれかけの方が便利で、またポケットがついていると食べこぼし防止になる。そこで、ひとつのよだれかけで、用途に合わせて、形や長さを変えられるよだれかけを提供する。【解決手段】  腹部を覆うほどの長さの胸当てに、上部ボタンホール（１）、中部ボタンホール（２）を各々左右にひとつずつ設け、裾の両端の突起状（３）を入れ込むことで、用途に合わせた形へと変えることができるよだれかけ。【選択図】図１
0003114052.tif 000002
【実用新案登録請求の範囲】
【請求項１】
腹部を覆うほどの長さの胸当て上部、中部の左右に各１個ずつのボタンホールを設け、胸当ての裾両端の形状を、ボタンホールに入れやすいように、左右にと突出させた形にし、それらをボタンホールに裏から表へ、また表から裏へ入れ込むことで用途に合わせた形へと変えられることを特徴としたよだれかけ。
【考案の詳細な説明】
【技術分野】
【０００１】  この考案は、特に乳幼児のよだれや食べこぼし等の汚れ防止に用いるよだれかけに関するものである。
【背景技術】
【０００２】  従来のよだれかけに用いられるものは、胸から腹部を覆う胸当てと、この胸当てを体に固定する首紐または胴紐を共に備えたものが一般的である。また、胸当ての下端部が食べこぼしを防止できるようにポケットを設けたものもある。
【考案の開示】
【考案が解決しようとする課題】
【０００３】  しかしながら、以上の技術によれば、一面が汚れてしまえば、他のものと取り替える必要があり、長さを調節することや形を変えることはできなかった。特によだれの多い時期は、お気に入りのよだれかけをしていても、それをしていられる時間は短く、何度も交換する必要があった。よだれだけの時には小さいサイズのよだれかけでもいいが、食事の時には、少し大きめの方が便利である。またポケットのついているものは、ポケット内に溜まったものをとるのに手間がかかった。
そこで、この考案は、胸当てにボタンホールを設け、裾の両端の突出した部分を入れ込むことで、半分の長さで使用したり、下部分を袋状にしたりと、ひとつのよだれかけが、いく通りかの形で使用することができるよだれかけを提供することを目的とする。
【課題を解決するための手段】
【０００４】  以上の課題を解決するために、本考案は、腹部を覆うほどの長さの胸当て上部、中部の左右に各１個ずつのボタンホールを設け、裾の両端の形状をボタンホールに入れやすいように左右に突出させた突起状にし、そのボタンホールに裏から表へ、また表から裏へその突起した両端を入れ込むことで、用途に合わせた形へと変えられることを特徴としたよだれかけである。
【考案の効果】
【０００５】  本考案によれば、胸当ての上部のボタンホールに、裾の両端の突起部分を裏から表へ入れ込むことで、半分の大きさで使用でき、すぐによだれで濡れてきても、交換ではなく、裾の両端の突起部分を上部ボタンホールに表から裏へ入れ直すことで、きれいな面を表面に出して使用できる。この時、首開口部が濡れたのが気になる場合は、首開口部を覆って裏から表へ入れても良い。また、中部のボタンホールに、裾の突起部分を表から裏へ入れ込むと、下の形状が袋状になるので食べこぼしが下に落ちるのを防ぐことができ、ポケットのような役割を果たす。袋内に溜まったものは、ボタンホールに入れ込んだ状態を解くことで簡単に取り除くことができる。離乳食の時期などは、下を袋状にするのではなく、そのままの形で使用することで、食事の際の汚れ防止の範囲を広くしたり、口を拭くふきんとして下半分を使用したりするなど、用途に合わせた形へと変えられることができるよだれかけである。
また、ボタンホールがあることで、取り外し可能な腰紐を取り付けることができる。この紐は、先端を輪にしておき、胸当て裾両端の突起部分を、ボタンホールに入れ込んだ際に、問題ないほどの幅と厚みにすれば、よだれかけがずれるのを防止することができる。
【考案を実施するための最良の形態】
【０００６】    本考案の一実施形態を、図１に示す。
腹部を覆うほどの長さの胸当てに、上部左右に上部ボタンホール（１）（１）を、中部左右には中部ボタンホール（２）（２）を各１個ずつのボタンホールを設け、胸当て裾の両端部分は、前記ボタンホールに挿通しやすい突起状（３）とし、胸当てを体に固定する首紐（４）を備えている。首紐先端には面ファスナー（５）を用いている。
上部ボタンホール（１）は、胸当てを半分の面積で使用する際に入れ込む為のもので、首開口部中央の位置を参考に設けている。中部ボタンホール（２）は、半分の面積で使用した際に下端部分となる位置を参考に設けている。【０００７】  図２は、上部のボタンホールに、胸当て裾の両端突起部分を、裏から表へ入れ込んで、半分で使用した形であり、その表面が汚れれば、突起部分を表から裏へと入れ直すことで新しい面を表面に出すことができる。入れなおした形を図３に示す。食事の際はそのままの形（図１）で使用し、汚れ防止の範囲を広くしたり、下半分を口拭き用のふきんとしたりしても良い。又、図４に示すように、中部のボタンホールに胸当て裾両端を、表から裏へ入れ込むことで袋状になり、その範囲に落ちる食べこぼしが下に落ちるのを防ぐことができる。図５は取り外し可能な腰紐を、本考案に別途設けた他の実施例を示すものであって、よだれかけのずれが気になるときに取り付けられる。先端が輪の方を、ボタンホールの片方に通し、輪の部分に紐をくぐらせて固定し、紐を背中に回して、もう片方のボタンホールに通して結び付ける。必要のない時や、面倒な時は取り外しておけば良い。【０００８】「他の実施形態」
図１の実施形態では、上部、中部にボタンホールをつけたものだが、他の実施形態では、ボタンホールでなくても、裾の両端部分を挿通可能であれば、スリット（溝）やポケット（袋状）、別形状の穴などでも構わない。
【図面の簡単な説明】
【０００９】
【図１】この考案の一実施形態のよだれかけを示す斜視図である。
【図２】同、よだれかけの上部ボタンホールに、突起状を裏から表へ入れた状態を示す。
【図３】同、よだれかけの上部ボタンホールに、突起状を表から裏へ入れた状態を示す。
【図４】同、よだれかけの中部ボタンホールに、突起状を表から裏へ入れた状態を示す。
【図５】本考案の他の実施例を示す斜視図。
【符号の説明】
【００１０】１    上部ボタンホール
２    中部ボタンホール
３    突起状
４    首紐
５    面ファスナー
【図１】
0003114052.tif 000003
【図２】
0003114052.tif 000004
【図３】
0003114052.tif 000005
【図４】
0003114052.tif 000006
【図５】
0003114052.tif 000007
(57)【要約】【課題】  枕をダニやノミが通り抜けにくい枕カバーで被覆することにより、ダニ、ノミなどの害虫が枕に出入りできないようにする。【解決手段】  枕カバーの素材にホウ酸塩処理したセルロース系不織布または紙を使用する。【選択図】図１
0003114056.tif 000002
【実用新案登録請求の範囲】
【請求項１】
ホウ酸塩処理したセルロース系不織布または紙を素材とする枕カバー
【考案の詳細な説明】
【技術分野】
【０００１】  この考案は、枕を媒体としたノミ、ダニ等の害虫の棲息・繁殖を抑制するための防虫枕カバーである。
【背景技術】
【０００２】  布団、カーペット、畳、枕等はノミやダニの温床と考えられ、防虫処置が必要であるが、このうち、枕に対しては有効な手段をとりにくい現状である。
【考案が解決しようとする課題】
【０００３】  枕を媒体とするダニやノミの棲息・繁殖を阻止する有効な方法は、枕をダニやノミが通過できない防虫枕カバーで被覆することである。
【課題を解決するための手段】
【０００４】  本考案者は、ダニやノミが通過できず、しかも吸湿性や通気性に優れた材質を検討した結果、ホウ酸塩処理したセルロース系の不織布、特にレーヨン不織布及び和紙が優れていることを見出した。
【０００５】  枕は一般的に、枕本体と枕カバー（又はピローケース）から構成される。枕カバー（又はピローケース）は装飾性と触感が重要で、頻繁に洗濯される。本考案の防虫枕カバーは、従来の枕カバー（又はピローケース）と枕本体の間に位置し、枕本体への害虫の出入りを阻止するものである。
【０００６】  本考案の防虫枕カバーは、枕本体をすっぽり包むことで、カバーを通過しなければノミやダニが枕本体に出入りできないようになっている。図１の例では、枕本体を出し入れする開口部で枕カバーの素材が重なり合うことで、害虫の通過を阻止している。第２図の例では、開口部はジッパーで開閉できるようになっている。
【０００７】  本考案でいうホウ酸塩とは、ホウ酸、ホウ砂、八ホウ酸二ナトリウム、あるいはこれらの混合物である。ホウ酸塩処理とは物理的あるいは化学的手段で、不織布にホウ酸塩を含浸あるいは付着させることである。不織布に対するホウ酸塩の添加量は、ホウ酸（Ｈ３ＢＯ３）換算で０．１重量％以上が望ましい。
【作用】
【０００８】  本考案の防虫枕カバーの素材としては、ホウ酸塩と分子的に結合し易いセルロース系素材が好ましいが、特に目付け１０〜１５０ｇ／ｍ２程度のレーヨン不織布や和紙が好ましい。
【０００９】  本考案の防虫枕カバーに付着する垢、ふけ、皮膚くずなどは、ホウ酸塩が拡散浸透するため、これらを摂食するとノミの幼虫やダニは死滅する。また、産み付けられた卵は、ホウ酸塩の浸透により孵化しにくくなる。またホウ酸塩の殺菌作用により、雑菌の繁殖も抑制される。
【産業上の利用可能性】
【００１０】  本考案の防虫枕カバーは、可燃ごみとともに焼却しても問題はなく、病院、ホテル、介護施設などでの使い捨て用途に適している。
【図面の簡単な説明】
【００１１】
【図１】本考案の枕カバーの斜視図である。
【図２】本考案の枕カバーの斜視図である。
【符号の説明】
【００１２】１は素材の不織布が重なり合う開口部
２は枕カバーの素材
３は開口部のジッパー
４は枕カバーの素材
【図１】
0003114056.tif 000003
【図２】
0003114056.tif 000004
(57)【要約】【課題】この考案は、ジーンズ等のズボンにおいて、通常通りにはけ、かつ前後を逆にしてはくことも可能なズボンの提供。【解決手段】ズボンの前部と後部の両方にジッパー、チャック等の開閉口を取り付け、布の大きさも前後同型にし、ズボンの前後、どちらを前にもってきてはいても、履き心地が変わらないような構造をしている。【選択図】図１
0003114057.tif 000002
【実用新案登録請求の範囲】
【請求項１】
本考案は、ズボンの前後ろ両方にジッパー、チャック等の開閉口を取り付け、ズボンの前部後部のどちらを前にもってきても、通常と同じようにはける、前後逆にしてもはくことの出来るズボン。
【考案の詳細な説明】
【技術分野】
【０００１】本考案は、ズボンの前部と後部の両方にジッパー、チャック等の開閉口をつけ、後部を前にもってきてはく事も可能なズボンに関する。
【背景技術】
【０００２】従来、ジーンズ等のほとんどのズボンの開閉口は前部の中心に一つある。
【考案の開示】
【考案が解決しようとする課題】
【０００３】ほとんどのズボンは、前部の中心にチャック等の開閉口が付いている形態は長く愛用され続け様々なデザインのズボンを生んできた。しかし、流行が速く常に新しいものを追求するファッション業界の中で、従来のズボンではデザインがでつくしていて、インパクトをもたせるズボンを生みだすのが困難である。【０００４】本考案は、それらの問題を解決しようとするものである。本考案は、ズボンの前部を前にもってくる、通常通りのはき方もでき、かつ、前部を後ろに後部を前に、と前後ろを逆にもっていくこともでき、一つのズボンで二つの楽しみがある。
【課題を解決するための手段】
【０００５】本考案は、通常前部にしか付いていない開閉口を前部と同様に後部にもつけることでどちらを前にもってきてもはくことの出来るズボンである。
【考案の効果】
【０００６】前部を後ろにもっていくため、インパクトのある新しいパンツスタイルが生まれ、後部を後ろにもっていった場合も、従来後ろには付いていなかった開閉口がアクセントになり、ファッションの幅を広げる効果がある。
【考案を実地するための最良の形態】
【０００７】本考案は、ズボンの着脱の際、どちらか片方を開閉して使うので後部に取り付ける、従来のズボンの前部に取り付けていたものと同様のものを使用することが可能である。
【０００８】また、布面の幅や大きさは前後同じで、どちらを前にした場合でも、はき心地がおなじである。
【実施例】
【０００９】本考案の実地例を図１に示すズボンの後部図を参照して説明する。まず、前部同様、後ろ中心に開閉口（１）を取り付けるために切れ目をいれ、開閉口の止め材であるジッパー等を取り付け、後部の腰丈を前部と同様にし、本考案を構成している。
【産業上の利用可能性】
【００１０】本考案は、従来のズボンと同じ手順ではく事ができ、従来どおりのはき方でよく。その上、前部と後部を変換させる機能をつけることでデザインの幅を広げることができる。
【図面の簡単な説明】
【００１１】
【図１】ズボン後部にジッパー等の開閉口が取り付けられている図。
【図２】後部と前部の両方に開閉口が取り付けられている、ズボンの正面図。
【符号の説明】
【００１２】（１）ズボン後部に取り付けられた開閉口
（２）ズボン本体
（３）ズボンの後部ポケット
（４）ズボン前部に取り付けられた開閉口
（５）ズボンの前部ポケット
【図１】
0003114057.tif 000003
【図２】
0003114057.tif 000004
(57)【要約】【課題】現在プルトップ缶用オープナーは、その種類は多岐にわたり数多くの商品が販売されており何れも身体的弱者（子供・高齢者・女性）のために開缶を補助する目的とされているが、開缶時の不具合（リングが缶から外れてしまう・タブは起きたが、その後、指で手前に引かなければならない等）が多々起こり、この不具合は誰もが経験しており、今回前記のような失敗がないように、頻繁に使用しても負荷なく開缶できるプルトップ缶用オープナーを提供する。【解決手段】剛性素材を板状にしたプルトップ缶用オープナーのフック部をリングに挿入し、フック部溝を支点として動作矢印の円弧部に沿って柄部を上方に回動させ、独自の２点連続同時動作方式より微力で容易に開缶できる。【選択図】図１
0003114051.tif 000002
【実用新案登録請求の範囲】
【請求項１】
剛性素材を板状に加工し、先端に缶の切込み部を押圧する圧迫部と缶のリングに挿入するフック部・フック部溝、前記圧迫部から上部に延びる円弧部とそれに続く柄部から構成され、フック部溝が下方に位置するよう柄部を握り、前記リングにフック部溝を合致させるようにカチッと音がするまで手前に引いて、前記フック部溝を支点として前記リングを動作矢印円弧部に沿って柄部を上方に回動させ、２点連続同時動作方式により開缶を実施することを特徴とするプルトップ缶用オープナー。
【請求項２】
前記柄部の形状は人間工学的範囲での自由形状で、使い勝手や握り具合、滑り止め装着等の用途に応じ、木材・金属・樹脂等で構成され、表面には革・紐・布等を巻き付け、シール・彫刻・メッキ・プリント等のデザインや装飾を施し、吊り下げ用の自由形状孔を後端に設けたプルトップ缶用オープナー。
【考案の詳細な説明】
【技術分野】
【０００１】  本考案は、プルトップ缶用オープナーに属する。
【背景技術】
【０００２】  従来発表されている発明や考案を見ると、例えば実用新案登録第３０８０５６８号は商品の形状・デザインが本考案の目指しているものとは全く異なる。この商品は引っ張り力を応用し、プルトップのリングにオープナーの先端を引っ掛け、指先で商品を引き上げることにより開缶するものであるが、先端を引っ掛けたあと指先に強い力を入れなければならない。また飲料缶専用で、プルトップ形状の異なる各種缶詰等には対応していない。身体的弱者（子供・高齢者・女性）や、手・指を大切にする人たちのサポートには不向きである。本考案は、従来のタブ起こしや単なるテコの応用だけではなく、独自の２点連続同時動作（強制圧迫）方式を採用、今日まで微力で容易に開缶できるプルトップ缶用オープナーは市販されていないのが現状である。
【考案の開示】
【考案が解決しようとする課題】
【０００３】  現在プルトップ缶は、食材・飲料メーカー等がその商品及びブランド名ごとの特徴を出すためにプルトップの形状・デザインを頻繁に変えている。よって本来、開缶が困難と言われている身体的弱者（子供・高齢者・女性）、特に手や指を大切にしている人たちだけでなく、一般の人までもが不便を感じている。嗜好品はともかく、非常食（防災食品・飲料水）や日常使用されるベビーフードやミルク・ペットフードにおいても対策がなされていない。そこで本考案は、いかなる人たちにおいても微力で確実かつ容易に開缶（缶詰等も含む）できるプルトップ缶用オープナーを提供しようとするものである。
【課題を解決するための手段】
【０００４】  本考案は以上の課題を解決するため、剛性素材を板状に加工し、先端に缶の切込み部を押圧する圧迫部と缶のリングに挿入するフック部・フック部溝、前期圧迫部から上部に延びる円弧部と、それに続く柄部からなる。フック部溝が下方に位置するよう柄部を握り、前記リングにフック部溝を合致させるようにカチッと音がするまで手前に引き、前記フック部溝を支点として前記リングを動作矢印の円弧部に沿って柄部を上方に回動させ、２点連続同時動作（強制圧迫）方式により容易に開缶できる。食材缶（缶詰）の場合は、開缶を実施したままの状態で手前に引けば缶のふたを完全に開けることができる。
【考案の効果】
【０００５】  本考案のプルトップ缶用オープナーは、プルトップ缶のデザインやリングの形状・タブの位置に拘わらず、爪・指・掌・腕を痛めることなく、微力で確実に開缶できる。また缶詰にあっては国内の製品のみならず、外国の製品にも対応できる。
【考案を実施するための最良の形態】
【０００６】  以下に本考案のプルトップ缶用オープナーの説明をするが、本説明は考案の全てを説明するものではなく、図に基づく端的な説明とする。
【図面の簡単な説明】
【０００７】
【図１】は、本考案のプルトップ缶用（缶詰対応）オープナーをリング６に挿入し右手で握っているオープナーの柄部５を上方に回動させようとしている瞬間の斜視図である。
【図２】は、本考案のプルトップ缶用（飲料等対応）オープナーをリング６に挿入し右手で握っているオープナーの柄部５を上方に回動させ、プルトップ缶孔の切込み部（開口部）７を強制圧迫部２が押し下げる瞬間の斜視図である。
【図３】は、本考案のプルトップ缶用オープナーのフック部３を左に見た正面図であり、破線部は自由形状の柄部５を表示したものである。
【図４】は、本考案のプルトップ缶用オープナーのフック部３を右に見た背面図である。
【図５】は、本考案のプルトップ缶用オープナーのフック部３を左に見た正面図を、上から見た平面図である。
【図６】は、本考案のプルトップ缶用オープナーのフック部３を左に見た正面図を、真下から見た底面図である。
【図７】本考案のプルトップ缶用オープナーのフック部３を左に見た正面図を、右から見た側面図である。
【図８】本考案のプルトップ缶用オープナーのフック部３を左に見た正面図を、左から見た側面図である。
【符号の説明】
【０００８】１、  プルトップ缶用オープナー
２、  強制圧迫部
３、  フック部
４、  フック部溝
５、  柄    部
６、  プルトップ缶リング
７、  プルトップ缶用オープナーの吊り下げ孔
８、  プルトップ缶孔の切込み部（開口部）
【図１】
0003114051.tif 000003
【図２】
0003114051.tif 000004
【図３】
0003114051.tif 000005
【図４】
0003114051.tif 000006
【図５】
0003114051.tif 000007
【図６】
0003114051.tif 000008
【図７】
0003114051.tif 000009
【図８】
0003114051.tif 000010
(57)【要約】      （修正有）【課題】一般的な屋内の壁面、即ち合板の塗装仕上げ面、ボードのビニールクロス仕上げ面に吸着使用することができる吸着式吊下フックを使用するための硬質プラスチック板の提供。【解決手段】硬質プラスチック板１を、当該板裏面２の粘着力を利用して任意の壁面３に貼付けることによって、従来では不可能であった合板塗装仕上げ面、ビニールクロス仕上げ面の壁表面に吸着式吊下げフックを吸着させ、使用することができる。【選択図】図１
0003114054.tif 000002
【実用新案登録請求の範囲】
【請求項１】
表面が平滑で、かつ裏面に粘着層を有することを特徴とする硬質プラスチック板。
【考案の詳細な説明】
【技術分野】
【０００１】  本考案は、一般家庭の屋内壁面に貼付けて、吸着式吊下げフックを使用するための、硬質プラスチック板に関する。
【背景技術】
【０００２】  一般家庭で常用されている吸着式吊下げ用フックは、表面が硬質でかつ平滑なガラス面、ないしはステンレス面等に限り使用が可能であるが、通常の屋内壁面、即ち合板の塗装仕上げ面、ボードのビニールクロス仕上げ面等の表面には、吸着しないために、そのようなフックを使用することが出来ない。
【考案の開示】
【考案が解決しようとする課題】
【０００３】  上述のごとく、吸着式の吊下げフックが任意の壁面に使用することができないのは不便である。
【課題を解決するための手段】
【０００４】  そこで、表面が平滑で、かつ裏面に粘着層を有する硬質プラスチック板を考案した。当該板の粘着層を壁面に貼付けることにより、吸着式吊下げフックを任意の壁面に取付けることができる。
【考案の効果】
【０００５】  上記のように、従来吸着式吊下げフックは、一般の屋内壁面、即ち合板の塗装仕上げ面、ボードのビニールクロス仕上げ面等の表面には使用することができなったが、本考案の硬質プラスチック板を介在させることによって吸着式吊り下げフックを任意の壁面に使用することができる。
【考案を実施するための最良の形態】
【０００６】  本考案に係る硬質プラスチック板は、図１に示すように、表面を平滑に仕上げて吸着式吊下げフックの吸着を可能にし、かつ裏面に粘着層を設けることにより一般の壁面に貼付けることができる。当該板の寸法は任意とする。
【図面の簡単な説明】
【０００７】
【図１】  本考案に係る硬質プラスチック板を壁面に貼付け、かつ吸着式吊下げフックを当該板表面に吸着させた状態を示す断面図である。
【図２】  上記状態における表面姿図である。
【符号の説明】
【０００８】１  本考案に係る硬質プラスチック板
２  当該板の裏面粘着層
３  当該板を張付けた一般壁面
４  吸着式吊下げフック
【図１】
0003114054.tif 000003
【図２】
0003114054.tif 000004
(57)【要約】【課題】本考案は財布に鍵を掛けて貴重品の盗難防止をする。【解決手段】本考案は財布に別図の通り本体と蓋板上側の２ヶ所に穴を開け、２つの穴に鍵を掛けて閉じ、瞬時にカード等の抜き取りができないように盗難防止に役立つ。【選択図】図１
0003114275.tif 000002
【実用新案登録請求の範囲】
【請求項１】
札入財布の本体に別図の通り丸形の鍵穴を開け、開閉自在の蓋板に鎖または錠を掛け、財布内のカード入れから瞬時にカードの抜き取りを防止することを特徴とする札入財布。
【考案の詳細な説明】
【技術分野】
【０００１】本考案は、貴重品の瞬時の盗難防止に関するものである。
【背景技術】
【０００２】本考案は札入れを代金支払い時にカウンター等に一時的に置いたときに、第三者から瞬時にカード、金銭の抜き取りができないよう鎖を鍵穴に通すかまたは鍵をかけ容易に開閉できないようにする。
【考案の開示】
【考案が解決しようとする課題】
【０００３】札入れは本来自由に開閉して使用するものであるが、財布に別図の鍵穴に鍵をかけて容易に開くことができないようにして瞬時のカード等の盗難を防止するにある。
【課題を解決するための手段】
【０００４】近時発生しているカードのスキミングまたは金銭の抜き取り防止のため札入れに鍵穴に鍵をかけるか、または鎖を通して開かないようにしてこれらの行為を防止して解決する。
【考案の効果】
【０００５】本考案は貴重品が札入れから瞬時に抜き取られないよう鍵を掛け、または鎖を通して盗難防止に役立つ。
【考案を実施するための最良の形態】
【０００６】札入れの上側に本体と蓋側に２個の丸穴を開けて、２個の穴に鍵を掛けるかまたは鎖を通すことにより瞬時の盗難を防止する。
【産業上の利用可能性】
【０００７】本考案は、札入れに限らず、日記帳、重要書類、パソコン等の瞬時の秘密情報の漏洩を防止することに利用を拡大することができる。
【図面の簡単な説明】
【０００８】
【図１】本考案の財布の開いた状態であり、鍵穴に鍵をかけるかまたは鎖を通す。
【図２】財布を閉じて鍵穴に鍵をかけた状態。
【符号の説明】
【０００９】１から３の鍵穴は鍵を通すかまたは鎖を通す穴であり、各穴の淵部分は金属で囲う。
【図１】
0003114275.tif 000003
【図２】
0003114275.tif 000004
【手続補正書】
【提出日】平成17年6月13日(2005.6.13)
【手続補正１】
【補正対象書類名】実用新案登録請求の範囲
【補正対象項目名】全文
【補正方法】変更
【補正の内容】
【実用新案登録請求の範囲】
【請求項１】
折りたたみ式札入財布の内側にカード差しを有する財布において両翼財布上部両端２ヶ所に鎖を通すための丸穴を設けたことを特徴とする札入財布。
(57)【要約】【目的】  割り箸と楊枝を一体化して、特に、袋入り割り箸を取り出す時に楊枝の紛失や、楊枝の先端に依る指先等の怪我の危険性を防止することを目的とした構造の割り箸を提供する。【構成】  割り箸本体（１）の頭部に楊枝（３）を設け、割り箸と楊枝を一体化した構造の、楊枝付き割り箸。【選択図】  図１
0003114273.tif 000002
【実用新案登録請求の範囲】
【請求項１】
割り箸本体（１）の頭部に楊枝（３）を取り付けた、楊枝付き割り箸。
【請求項２】
楊枝（３）の形を形成せしめるように割り箸本体（１）頭部の一部を切削加工した、楊枝付き割り箸。
【考案の詳細な説明】
【考案の詳細な説明】
この実用新案は、割り箸本体（１）の頭部の一部に楊枝（３）を形成するための切削加工を施すか、又は、本考案の構成要素たる部品、楊枝（３）を割り箸本体（１）の頭部に取り付けた、楊枝付き割り箸に関するものである。
従来、飲食店等のテーブルには割り箸入れと、楊枝入れが並んでいて見た目に煩雑であったし、その分テーブルも狭苦るしく感じていた。また、市販の弁当に袋入りの割り箸が付いていた。しかし、割り箸と、楊枝が同包されているものが多く、箸を取り出す時、楊枝の先端が指に触れて危険な思いをする場合や、うっかり楊枝を落としてしまう様な不便な思いをする場合が度々あった。
本考案は、これ等の欠点を完全に取り省くためになされたものであり、実施例を図面について説明すれば、割り箸本体（１）の頭部に一部切り欠き部（２）を設け楊枝（３）を取り付けるか、同部位に楊枝を形成するように割り箸本体（１）を削り出す。
本考案は、この様な構造であるから、楊枝の使用方法は、割り箸本体（１）から楊枝（３）を引き外すことで使用出来る。従って、前記の危険性や不便も解消された。
なお、割り箸本体（１）の頭部に一部切り欠き部（２）の上部に楊枝の先端を被う傘部（４）を設ける構造にしておけば楊枝（３）の先端を被うので一層安全な構造となる。
【図面の簡単な説明】
【図１】  本考案実施例の斜視図である。
【図２】  本考案実施例のＡ−Ａ断面図である。
【図３】  本考案実施例のＢ−Ｂ断面図である。
【符号の説明】
（１）は、割り箸本体
（２）は、切り欠き部
（３）は、楊枝
（４）は、傘部
【図１】
0003114273.tif 000003
【図２】
0003114273.tif 000004
【図３】
0003114273.tif 000005